(57)【特許請求の範囲】
【請求項１】
反発磁気回路を用いた低音用スピーカの上に中高音用スピーカを取付けたスピーカにおいて、前記低音用スピーカの反発磁気回路の上側のマグネットの上側に突出部を形成し、前記突出部の上に中高音用スピーカ用のヨークを固着し、前記ヨークの上にマグネットを固着して前記突出部、ヨークおよびヨーク上側のマグネットにより中高音用スピーカの反発磁気回路を形成したことを特徴とするスピーカの磁気回路。
【請求項２】
前記突出部の基端部周囲に溝を設け、前記溝内に前記中高音用スピーカのボイスコイルボビンを突入させた請求項１のスピーカの磁気回路。
【発明の詳細な説明】
【０００１】
【発明の属する技術分野】
この発明はスピーカの磁気回路に係わり、特に、低音用スピーカと中高音用スピーカが一体に形成されたスピーカの磁気回路にに関する。
【０００２】
【従来の技術】
従来の反発磁気回路を用いた低音用スピーカの上に中高音用スピーカを取付けたスピーカの例を図５により説明する。図に示すベース１と板状フレーム２が固着されてスピーカの支持体が形成されている。なお、ベース１は非磁性体材料で作られている。
【０００３】
ベース１にマグネット３とマグネット２１とがヨーク６を挟んで磁極が対向するように固定され、ヨーク６と対向する位置に磁性体のアウターリング８が固定されている。これらの部材は反発磁気回路を構成しており、ボイスコイルボビン１４に巻かれたボイスコイル１６がこの反発磁気の磁束に位置するようにボイスコイルボビン１４がダンパー１２を介して板状フレーム２に支持されている。
【０００４】
ウーハ用振動板１０の外周は板状フレーム２に支持され、内周はボイスコイルボビン１４に接着されている。このようにウーハが構成されているが、ベース１の上部にツイータが締着される。
【０００５】
ツイータの磁気回路は一体に固着されたヨーク２４、マグネット２５およびトッププレート２６で構成されており、ボイスコイルボビン１５に巻かれたボイスコイル１７がトッププレート２６とヨーク２４との間の磁気ギャップに位置するようにボイスコイルボビン１５がダンパー１３を介してヨーク２４に支持されている。ツイータ用振動板１１の外周はボイスコイルボビン１５に固着されている。
【０００６】
このように構成されたヨーク２４は支柱２３に締着され、支柱２３はベース１に締着された支柱２２に固着されている。振動板１０とヨーク２４との間にはダストカバー１８が取付けられボイスコイル１６周囲の空間にごみが入るのが防止される。このようにしてウーハとツイータが同軸上に一体に形成されている。
【０００７】
【発明が解決しようとする課題】
上記した従来のスピーカは、ウーハとツイータの磁気回路のマグネットが別々のもので構成されて、起磁力の使用効率がわるく、また、支柱等の部品が必要であり、部品点数も多く製造コスとも高くなっていた。
【０００８】
この発明は上記した点に鑑みてなされたものであって、その目的とするところは、低音用スピーカと中高音用スピーカとのマグネットを共通とすることにより起磁力を有効に利用でき、スピーカ全体をコンパクトに構成することができ、さらに、部品点数を少くすることができるスピーカの磁気回路を提供することにある。
【０００９】
【課題を解決するための手段】
この発明のスピーカの磁気回路は、反発磁気回路を用いた低音用スピーカの上に中高音用スピーカを取付けたスピーカにおいて、前記低音用スピーカの反発磁気回路の上側のマグネットの上側に突出部を形成し、前記突出部の上に中高音用スピーカ用のヨークを固着し、前記ヨークの上にマグネットを固着して前記突出部、ヨークおよびヨーク上側のマグネットにより中高音用スピーカの反発磁気回路を形成したものである。
【００１０】
また、前記スピーカの磁気回路において、前記突出部の基端部周囲に溝を設け、前記溝内に前記中高音用スピーカのボイスコイルボビンを突入させたものである。
【００１１】
【発明の実施の形態】
この発明の実施例であるスピーカを図面に基づいて説明する。図１はこの発明の第１の実施例であるスピーカの中心軸の一方の側を示す断面図である。図１に示すベース１と板状フレーム２が固着されてスピーカの支持体が形成されている。なお、ベース１は非磁性体材料で作られている。
【００１２】
ベース１にマグネット３とマグネット４とがヨーク６を挟んで磁極が対向するように固定され、ヨーク６と対向する位置に磁性体のアウターリング８が固定されている。これらの部材は反発磁気回路を構成しており、ボイスコイルボビン１４に巻かれたボイスコイル１６がこの反発磁気の磁束に位置するようにボイスコイルボビン１４がダンパー１２を介して板状フレーム２に支持されている。
【００１３】
ウーハ用振動板１０の外周は板状フレーム２に支持され、内周はボイスコイルボビン１４に接着されている。このようにウーハが構成されているが、マグネット４の上部にツイータが固定される。
【００１４】
すなわち、マグネット４の上部に形成された突出部４ａの上にヨーク７が固着され、ヨーク７の上にマグネット５が固着されている。マグネット４とマグネット５の磁極は対向するよう配置されている。そして、マグネット４、ヨーク７およびマグネット５によりツイータの反発磁気回路構成されている。
【００１５】
マグネット４には非磁性体の支持リング９が固着されている。ボイスコイルボビン１５に巻かれたボイスコイル１７が上記ツイータの反発磁気の磁束に位置するようにボイスコイルボビン１５がダンパー１３を介して支持リング９に支持されている。振動板１０と支持リング９との間にはダストカバー１８が取付けられボイスコイル１６周囲の空間にごみが入るのが防止される。
【００１６】
このようにしてウーハとツイータが同軸上に一体に形成されるが、マグネット４はウーハとツイータの磁気回路を構成しており、その起磁力が有効に利用される。また、ツイータを支持するために支柱が不要となり、部品点数が削減される。
【００１７】
図２はこの発明の第２の実施例であるスピーカの中心軸の一方の側を示す断面図である。この例ではスピーカ全体は樹脂により一体に成形されたフレーム２０により支持される。そして、ダンパー１２はボイスコイルボビン１４の下部を支持しており、振動板１０の内周はボイスコイル１６の周囲に固着され、ボイスコイル１６に外側にアウターリングが設けられていない。他の構成は第１の実施例と同様であり、詳細な説明を省略する。この例でも、マグネット４はウーハとツイータの磁気回路を構成しており、第１の実施例と同様の効果が得られる。
【００１８】
図３はこの発明の第３の実施例であるスピーカの中心軸の一方の側を示す断面図である。この例では第１の実施例のマグネット４の突出部４ａの周囲に溝４ｂが設けられており、この溝４ｂにボイスコイルボビン１５の先端部が入り込んでいる。支持リング９はマグネット４の溝４ｂの外側に固着させるが、第１の実施例より支持リング９の高さを低くできる。他の構成は第１の実施例と同様であり、詳細な説明を省略する。
【００１９】
図４はこの発明の第４の実施例であるスピーカの中心軸の一方の側を示す断面図である。この例では第２の実施例のマグネット４の突出部４ａの周囲に溝４ｂが設けられており、この溝４ｂにボイスコイルボビン１５の先端部が入り込んでいる。支持リング９はマグネット４の溝４ｂの外側に固着させるが、第２の実施例より支持リング９の高さを低くできる。他の構成は第２の実施例と同様であり、詳細な説明を省略する。
【００２０】
【発明の効果】
この発明のスピーカの磁気回路によれば、低音用スピーカの磁気回路と中高音用スピーカの磁気回路に共通のマグネットが利用されるために、マグネットの起磁力が有効に利用される。また、中高音用スピーカを支持するための支柱が不要となり、部品点数が削減される。
【図面の簡単な説明】
【図１】この発明の第１の実施例であるスピーカの中心軸の一方の側を示す断面図である。
【図２】この発明の第２の実施例であるスピーカの中心軸の一方の側を示す断面図である。
【図３】この発明の第３の実施例であるスピーカの中心軸の一方の側を示す断面図である。
【図４】この発明の第４の実施例であるスピーカの中心軸の一方の側を示す断面図である。
【図５】従来のスピーカの中心軸の一方の側を示す断面図である。
【符号の説明】
１  ベース
２  板状フレーム
３、４、５  マグネット
４ａ  突出部、４ｂ  溝
６、７  ヨーク
８  アウターリング
９  支持リング
１０  ウーハ用振動板
１１  ツイータ用振動板
１２、１３  ダンパー
１４、１５  ボイスコイルボビン
１６、１７  ボイスコイル
１８  ダストカバー
２０  フレーム
２１  マグネット
２２、２３  支柱
２４  ヨーク
２５  マグネット
２６  トッププレート
【図１】
0003834508.tif 000002
【図２】
0003834508.tif 000003
【図３】
0003834508.tif 000004
【図４】
0003834508.tif 000005
【図５】
0003834508.tif 000006